【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
圧縮符号化された動画像を再生する動画像再生装置であって、
符号化された動画像データのフレームの全域或いは一部の領域の符号化された動画像データを復号する復号手段と、
前記復号して得られた画像を表示出力する表示出力手段と、
動画像の再生速度を設定する再生速度設定手段と、
該再生速度設定手段で設定された再生速度に応じて再生すべきフレーム中の領域を決定し、決定した領域を復号対象として前記復号手段に設定する設定手段と
を備えることを特徴とする動画像再生装置。
【請求項２】
前記設定手段は、前記再生速度設定手段で設定された再生速度が通常再生速度以下の場合にはフレーム全域を復号対象として前記復号手段に設定し、前記再生速度設定手段で設定された再生速度が前記通常再生速度を越える高速再生速度の場合には、前記高速再生速度と前記通常再生速度の比率に応じた部分領域を復号対象として前記復号手段に設定する
ことを特徴とする請求項１に記載の動画像再生装置。
【請求項３】
前記高速再生速度での再生時に、前記領域の位置を設定する領域位置設定手段を更に備え、
前記設定手段は、前記領域位置設定手段で前記領域の位置が設定された場合に、設定された位置の領域を復号対象として前記復号手段に設定することを特徴とする請求項１又は２に記載の動画像再生装置。
【請求項４】
前記領域位置設定手段は、ユーザが操作可能な指示部による指示に応じて前記領域を移動する領域移動手段であることを特徴とする請求項３に記載の動画像再生装置。
【請求項５】
前記領域移動手段は、符号化単位であるタイルのサイズ単位で前記領域を移動することを特徴とする請求項４に記載の動画像再生装置。
【請求項６】
前記領域移動手段は、符号化単位であるタイルに含まれるコードブロックサイズ単位で前記領域を移動することを特徴とする請求項４に記載の動画像再生装置。
【請求項７】
前記領域移動手段は、画素単位で前記領域を移動するものであって、
前記復号手段は、前記領域移動手段によって画素単位で前記領域が移動された場合に、前記領域の移動方向に対して逆方向となる少なくとも領域境界部では、前記領域内の前記境界部以外よりも低い画質の画像となるように復号処理を行うことを特徴とする請求項４に記載の動画像再生装置。
【請求項８】
圧縮符号化された動画像を再生する動画像再生装置の制御方法であって、
復号手段が、符号化された動画像データのフレームの全域或いは一部の領域の符号化された動画像データを復号する復号工程と、
表示出力手段が、復号して得られた画像を表示出力する表示出力工程と、
再生速度設定手段が、動画像の再生速度を設定する再生速度設定工程と、
設定手段が、該再生速度設定工程で設定された再生速度に応じて、再生すべきフレーム中の領域を決定し、決定した領域を復号対象として前記復号手段に設定する設定工程と
を備えることを特徴とする画像再生装置の制御方法。
【請求項９】
コンピュータに読込ませ実行させることで、圧縮符号化された動画像を再生する動画像再生装置として機能させるコンピュータプログラムであって、
符号化された動画像データのフレームの全域或いは一部の領域の符号化された動画像データを復号する復号手段と、
復号して得られた画像を表示出力する表示出力手段と、
動画像の再生速度を設定する再生速度設定手段と、
該再生速度設定手段で設定された再生速度に応じて再生すべきフレーム中の領域を決定し、決定した領域を復号対象として前記復号手段に設定する設定手段
として機能させることを特徴とするコンピュータプログラム。
【請求項１０】
請求項９に記載のコンピュータプログラムを格納したことを特徴とするコンピュータ可読記憶媒体。
【手続補正２】
【補正対象書類名】明細書
【補正対象項目名】００１０
【補正方法】変更
【補正の内容】
【００１０】
この課題を解決するため、例えば本発明の動画像再生装置は以下の構成を備える。すなわち、
圧縮符号化された動画像を再生する動画像再生装置であって、
符号化された動画像データのフレームの全域或いは一部の領域の符号化された動画像データを復号する復号手段と、
復号して得られた画像を表示出力する表示出力手段と、
動画像の再生速度を設定する再生速度設定手段と、
該再生速度設定手段で設定された再生速度に応じて再生すべきフレーム中の領域を決定し、決定した領域を復号対象として前記復号手段に設定する設定手段とを備える。
【手続補正３】
【補正対象書類名】明細書
【補正対象項目名】００１３
【補正方法】変更
【補正の内容】
【００１３】
＜第１の実施形態＞
図１は、本発明の動画像再生装置が使用される再生システムの一例を示す概略図であり、１はパーソナルコンピュータなどの汎用の情報処理装置（以下「ＰＣ」という）、２はＤＶＤ−ＲＯＭ等の記憶媒体からデータを読み出すドライブである。本第１の実施形態では、ＰＣ１が備え付けられたＨＤＤやＤＶＤ−ＲＯＭなどのメディアに記録されている動画像符号化データを読み出して復号し、ディスプレイに再生画像を表示する。なお、本第１の実施形態におけるＰＣ１は、所定サイズの画像の符号化データの全データを最大３０ｆｐｓ（フレーム／秒）で復号する処理能力を有する場合について説明する。また、ディスプレイの表示周波数（垂直同期信号周波数）は６０Ｈｚ以上であるものとするが、これは一般的なものでもある。更に、本第１の実施形態の再生システムは、通常再生を３０ｆｐｓにより行うものとする。
【手続補正４】
【補正対象書類名】明細書
【補正対象項目名】００５３
【補正方法】変更
【補正の内容】
【００５３】
さらに、高速再生中、ユーザーが領域指定部により表示領域の位置変更を指示した場合、図２５の太線で示すように、その指定された領域のタイルを復号対象タイルと決定する（ステップＳ２５０１）。このとき、再生すべき領域が決定されるので、制御部２０１０は設定された領域に含まれるタイルを特定する情報をフレームデータ復号部２００３に設定することになる。なお、このとき、再生する領域位置の変更（領域移動）があったとき、フレーム全域を一度再生し、画面全体を更新した上で、領域を設定することが望ましい。また、再生する領域の移動はタイルサイズになる。また、領域指定部として、ポインティングデバイス等に連動するカーソルを移動させることで行うものとするが、カーソルキーなどでも構わない。更に、この復号すべきタイルの決定には、メインヘッダやタイルヘッダにある情報を利用する。なお、高速再生時の図２３（ｂ）では、縦６横８の全４８タイルの内、内側にある縦４横６の２４タイルを処理の対象としているがこれに限るものではなく、処理部の速度に応じて、処理可能な数の任意のタイルを選択すれば良い。また、高速再生中に通常再生にした場合には、フレーム全域を３０ｆｐｓにて再生することになるし、通常再生から高速再生に切り換わった場合にはデフォルトの位置にする、或いは、前回の高速再生時の位置にする等を行う。
【手続補正５】
【補正対象書類名】明細書
【補正対象項目名】００７４
【補正方法】変更
【補正の内容】
【００７４】
そこで本第３の実施の形態では、図２７で示されているように、動画像再生装置は高速再生する表示領域を包含するコードブロックを復号する。その上で、動画像再生装置は、表示領域内のピクセルをディスプレイに表示する。また、このような再生方法は再生装置の負荷を増やすので、図２７に示されているように、移動方向とは逆の方向の領域を低画質で表示する。ここで低画質化させる領域として移動方向とは逆方向の領域を選んだ理由は、一般的にユーザーの注目は移動方向の領域にあり、移動方向とは反対方向の領域にはないと考えられることである。以下にその具体的方法を示す。なお、このような表示を可能とする動画像符号化データは、第１の実施形態における動画像符号化装置により生成されたものを用いることが可能である。従って、本第２の実施形態の説明においては、動画像符号化装置の構成及び処理動作についての説明は省略する。